(57)【要約】【課題】屋外用外観部品において、コストの上昇を抑えかつ表面への固定部の露出を抑えて高級感がある外観を得ることができるようにすることにある。【解決手段】両軸受リールの第１側カバー６ａは、裏面側に接合された取付・支持用の複数の凹凸部２０に、第１側板７ａの内側からねじ部材３０を取り付けることにより固定されている。アルミニウム合金製の第１側カバー６ａにアルマイトを形成し、第１側カバー６ａの裏面にトリアジンチオールの微粉末を電着めっき処理により拡散させて電着塗膜層を形成し、この電着塗膜層に凹凸部２０を第１側カバー６ａの一部又は全部を金型に挿入してアウトサート成形又はインサート成形することにより、凹凸部２０は第１側カバー６ａの裏面に接合されている。【選択図】　　　図２
2004082612.tif 000002
【特許請求の範囲】
【請求項１】
外部に露出する表面を有し、屋外で使用される屋外用外観部品であって、
前記表面を有する金属製の外側部材と、
前記外側部材の裏面に接合された取付・支持用の合成樹脂製の１又は複数の内側部材と、
を備えた屋外用外観部品。
【請求項２】
前記複数の内側部材は、前記外側部材の内部に装着される部品の取付・支持用の凹凸部である、請求項１に記載の屋外用外観部品。
【請求項３】
前記複数の内側部材は、連結部により互いに連結されている、請求項１又は２に記載の屋外用外観部品。
【請求項４】
前記外側部材は、アルミニウム合金板材製である、請求項１から３のいずれかに記載の屋外用外観部品。
【請求項５】
前記外側部材は、前記表面がアルマイト処理されている、請求項４に記載の屋外用外観部品。
【請求項６】
前記凹凸部は、ポリアミド系合成樹脂、ポリフェニレンサルファイド（ＰＰＳ）樹脂、ポリエチレン（ＰＥ）樹脂及びポリプロピレン（ＰＰ）樹脂の群から選択されたひとつの合成樹脂製である、請求項１から５のいずれかに記載の屋外用外観部品。
【請求項７】
前記内側部材は、前記外側部材の少なくとも一部を金型に挿入して一体成形されている、請求項１から６のいずれかに記載の屋外用外観部品。
【請求項８】
前記内側部材は前記外側部材に化学的結合により接合されている、請求項１から７のいずれかに記載の屋外用外観部品。
【請求項９】
前記外側部材の前記裏面にトリアジンチオールの微粉末を電着めっき処理により拡散させ、この拡散層に内側部材を一体成形することにより、前記内側部材は前記外側部材の裏面に接合されている、請求項８に記載の屋外用外観部品。
【請求項１０】
前記外側部材は、釣り用リールのリール本体を構成する部材である、請求項１から９のいずれかに記載の屋外用外観部品。
【請求項１１】
前記外側部材は、釣り用リールの水深表示用のカウンタケースを構成する部材である、請求項１から９のいずれかに記載の屋外用外観部品。
【請求項１２】
前記外側部材は、自転車に装着可能なサイクルコンピュータのケースを構成する部材である、請求項１から９のいずれかに記載の屋外用外観部品。
【発明の詳細な説明】
【０００１】
【発明の属する技術分野】
本発明は、外観部品、特に、外部に露出する表面を有し、屋外で使用される屋外用外観部品に関する。
【０００２】
【従来の技術】
釣り用リールのリール本体や水深表示用のカウンタケース等の屋外用外観部品は、外部に露出する表面を有するとともに、その内側には、機構取付用のボス部や軸受支持部等の凹凸が設けられている。たとえば、両軸受リールの場合には、リール本体の側カバー内部にバネを取り付けるためのボス部やねじ取付用のボス部などが内方に突出して設けられている。従来、外観部品は、このような凹凸部が必要なため、樹脂の射出成形やアルミダイカスト成形で製造されることが多い。アルミダイカストを行う場合には、流動性を高めるためにシリコンをアルミニウム合金に多く添加している。このため、外観がどうしても白っぽい色になりやすくアルマイト処理しても高級な外観を得にくい。
【０００３】
そこで、樹脂成形品やアルミダイカスト品は、めっきや塗装などにより外観に高級な金属感を持たせることが行われている。しかし、これらの方法では高級な光輝感がある金属外観が得られず安っぽい外観になりやすい。
そこで、高級な金属感を持たせるために、従来は高級なものには鍛造品やプレス成形品が用いられている。鍛造品は、流動性を高める必要がないため、アルマイト処理などの表面処理により、高級感がある外観が得られる。またプレス成形品も同様な表面処理を行いやすくなり高級感がある外観が得られる。
【０００４】
【発明が解決しようとする課題】
鍛造品を使用した従来の外観部品では、凹凸部を形成するためには複雑な後加工が必要になり、コストがさらに上昇する。また、プレス成形品を使用した従来の外観部品では、凹凸部を取り付けるためのねじ孔やカシメ固定用の孔などの固定部が表面に露出して美観上の問題が発生する。
【０００５】
本発明の課題は、屋外用外観部品において、コストの上昇を抑えかつ表面への固定部の露出を抑えて高級感がある外観を得ることができるようにすることにある。
【０００６】
【課題を解決するための手段】
発明１に係る屋外用外観部品は、外部に露出する表面を有し、屋外で使用される部品であって、外側部材と、内側部材とを備えている。外側部材は、表面を有する金属製の部材である。内側部材は、外側部材の裏面に接合された取付・支持用の合成樹脂製の１又は複数の部材である。
【０００７】
この外観部品では、外部に露出する外側部材は金属製であり、取付・支持用の内側部材は、合成樹脂製の部材であり、それを外側部材の裏面に接合して固定している。ここでは、金属製の外側部材に対する制約が少ないため鍛造を用いても後加工することなく高級感がある外観が得られる。また、内側部材を接合により外側部材の裏面に固定しているので、プレス成形品を用いても取付・支持用の固定部が表面に露出しない。このため、コストの上昇を抑えてかつ表面への固定部の露出を抑えて高級感がある外観を得ることができる。
【０００８】
発明２に係る屋外用外観部品は、発明１に記載の部品において、複数の内側部材は、外側部材の内部に装着される部品の取付・支持用の凹凸部である。この場合、部品の取付・支持用の凹凸部を複数設けても高級な外観を維持できる。
発明３に係る屋外用外観部品は、発明１又は２に記載の部品において、複数の内側部材は、連結部により互いに連結されている。この場合、複数の内側部材を連結部により連結することにより、部品点数を減少できるので、内側部材の取り付け作業が容易になる。
【０００９】
発明４に係る屋外用外観部品は、発明１から３のいずれかに記載の部品において、外側部材は、アルミニウム合金板材製である。この場合、たとえばプレス成形品であるアルミニウム合金板材を外側部材に用いることにより、アルミダイカスト成形時のシリコン添加による白っぽい色を抑えることができるので、高級感がある外観を得ることができる。
【００１０】
発明５に係る屋外用外観部品は、発明４に記載の部品において、外側部材は、表面がアルマイト処理されている。この場合、外側部材の表面の傷付きを防止するとともに、耐食性を向上できる。
発明６に係る屋外用外観部品は、発明１から５のいずれかに記載の部品において、凹凸部は、ポリアミド系合成樹脂、ポリフェニレンサルファイド（ＰＰＳ）樹脂、ポリエチレン（ＰＥ）樹脂及びポリプロピレン（ＰＰ）樹脂の群から選択されたひとつの合成樹脂製である。この場合、一般に汎用のポリアミド系合成樹脂、ポリフェニレンサルファイド（ＰＰＳ）樹脂、ポリエチレン（ＰＥ）樹脂及びポリプロピレン（ＰＰ）樹脂の群から選択されたひとつの合成樹脂により凹凸部を形成することにより、さらにコストの上昇を抑えることができる。
【００１１】
発明７に係る屋外用外観部品は、発明１から６のいずれかに記載の部品において、内側部材は、外側部材の少なくとも一部を金型に挿入して一体成形されている。この場合、内側部材を外側部材の一部又は全部を金型に挿入してアウトサート成形又はインサート成形することにより、内側部材の形成が容易になる。
発明８に係る屋外用外観部品は、発明１から７のいずれかに記載の部品において、内側部材は外側部材に化学的結合により接合されている。この場合、内側部材の外側部材に対する結合力が強固になる。
【００１２】
発明９に係る屋外用外観部品は、発明８に記載の部品において、外側部材の裏面にトリアジンチオールの微粉末を電着めっき処理により拡散させ、この拡散層に内側部材を一体成形することにより、内側部材は外側部材の裏面に接合されている。この場合、内側部材の外側部材に対する結合力がさらに強固になる。
発明１０に係る屋外用外観部品は、発明１から９のいずれかに記載の部品において、外側部材は、釣り用リールのリール本体を構成する部材である。この場合、たとえば両軸受リールの側カバーや側板や、スピニングリールのリールボディ等のリール本体のコストの上昇を抑えてかつ表面への固定部の露出を抑えて高級感がある外観を得ることができる。
【００１３】
発明１１に係る屋外用外観部品は、発明１から９のいずれかに記の部品において、外側部材は、釣り用リールの水深表示用のカウンタケースを構成する部材である。この場合、たとえば電動リールやカウンタリール等のカウンタケースのコストの上昇を抑えてかつ表面への固定部の露出を抑えて高級感がある外観を得ることができる。
【００１４】
発明１２に係る屋外用外観部品は、発明１から９のいずれかに記載の部品において、外側部材は、自転車に装着可能なサイクルコンピュータのケースを構成する部材である。この場合、サイクルコンピュータのケースのコストの上昇を抑えてかつ表面への固定部の露出を抑えて高級感がある外観を得ることができる。
【００１５】
【発明の実施の形態】
本発明の一実施形態を採用した両軸受リールは、図１に示すように、ベイトキャスト用のロープロフィール型のリールである。この両軸受リールは、リール本体１と、リール本体１の側方に配置されたスプール回転用のハンドル組立体２と、リール本体１の内部に回転自在かつ着脱自在に装着された糸巻き用のスプール４とを備えている。ハンドル組立体２のリール本体１側には、ドラグ調整用のスタードラグ３が設けられている。
【００１６】
リール本体１は、フレーム５と、フレーム５の両側方に装着された第１側カバー６ａ及び第２側カバー６ｂとを有している。
フレーム５は、アルミニウム合金製の部材であり、第１側カバー６ａ及び第２側カバー６ｂがそれぞれ装着される第１側板７ａ及び第２側板７ｂと、第１側板７ａ及び第２側板７ｂを連結する複数の連結部８とを有している。第１側板７ａ及び第２側板７ｂ、連結部８は一体成形されている。
【００１７】
第１側カバー６ａ及び第２側カバー６ｂは、図２及び図３に示すように、裏面側に接合された取付・支持用の複数の凹凸部２０に、第１側板７ａ及び第２側板７ｂの内側からねじ部材３０を取り付けることにより固定されている。このため、第１側カバー６ａ及び第２側カバー６ｂの表面側にねじ止め部分が露出しないようになっている。第１側カバー６ａ及び第２側カバー６ｂは、アルミニウム合金製の板材をプレス成形して形成したものである。
【００１８】
凹凸部２０は、合成樹脂製部材であり、ねじ部材３０を取付・支持するためのボスである。凹凸部２０には、先端部が開口する凹部２２が切削加工等により形成されており、凹部２２には、ねじ部材３０が装着される雌ねじが形成されている。
凹凸部２０は、たとえば６ナイロンや６６ナイロン等のポリアミド系合成樹脂、ポリフェニレンサルファイド（ＰＰＳ）樹脂、ポリエチレン（ＰＥ）樹脂及びポリプロピレン（ＰＰ）樹脂の群から選択されたひとつの合成樹脂により形成されている。凹凸部２０は、第１側カバー６ａ及び第２側カバー６ｂに化学的結合により接合されている。ここでは、アルミニウム合金製の第１側カバー６ａ及び第２側カバー６ｂに後述するアルマイト１１（図４参照）を形成し、第１側カバー６ａ及び第２側カバー６ｂの裏面にトリアジンチオールの微粉末を電着めっき処理により拡散させて後述する電着塗膜層１２（図４参照）を形成し、この電着塗膜層１２に凹凸部２０を第１側カバー６ａ及び第２側カバー６ｂの一部又は全部を金型に挿入してアウトサート成形又はインサート成形することにより、凹凸部２０は第１側カバー６ａ及び第２側カバー６ｂの裏面に接合されている。
【００１９】
第１側カバー６ａ及び第２側カバー６ｂに凹凸部２０を接合する方法は、具体的には、アルミニウム合金等の金属と合成樹脂との両方に化学反応する特殊金属表面処理剤ＲＴＤを使用して有機めっき処理を施し、さらに金型内で金属表面のＲＴＤと合成樹脂とを直接複合化する方法である。トリアジンチオールは、高分子化合物の基Ｒが合成樹脂と結合し、スルホン系化合物ＳＨが金属と結合する性質を有している。このトリアジンチオールの微粉末を電着めっき処理により拡散させて、第１側カバー６ａ及び第２側カバー６ｂに凹凸部２０を強固に化学結合している。
【００２０】
リール本体１を構成する各部材（以下これらを総称して部品本体１０という）は、アルミニウム合金製であり、部品本体１０の表面には電着塗装が施されている。図４に示すように、アルミニウム合金製の部品本体１０の表面には、アルマイト処理によりアルマイト１１が形成されている。アルマイト１１の表面には、電着塗装法により電着塗膜層１２が形成されている。
【００２１】
アルマイト１１は、アルミニウム合金を陽極酸化して形成されるものであって、部品本体１０を陽極にして、硫酸等の溶液中で電解すると、陽極に発生する酸素のために被膜が形成される。
電着塗膜層１２は、トリアジンチオールの微粉末を電着めっき処理により拡散させることにより形成されている。このように電着塗装を行う場合は、アルマイト１１を形成した部品本体１０を塗料槽に浸漬させ、部品本体１０を陰極、塗料層に設けた電極板を陽極として、直流電圧をかけることにより、塗料を電気的に塗着させる。
【００２２】
この両軸受リールでは、合成樹脂製の凹凸部２０を金属製の第１側カバー６ａ及び第２側カバー６ｂの裏面に接合して固定している。ここでは、金属製の第１側カバー６ａ及び第２側カバー６ｂに対する制約が少ないため鍛造を用いても後加工することなく高級感がある外観が得られる。また、凹凸部２０を接合により第１側カバー６ａ及び第２側カバー６ｂの裏面に固定しているので、プレス成形品を用いても取付・支持用の固定部が表面に露出しない。したがって、コストの上昇を抑えてかつ表面への固定部の露出を抑えて高級感がある外観を得ることができる。
【００２３】
〔他の実施形態〕
（ａ）　前記実施形態では、屋外用外観部品としてベイトキャスト用の両軸受リールを例にあげて説明したが、これに限定されるものではなく、たとえば丸型の両軸受リール、スピニングリール、片軸受リール等の釣り用リールにも本発明を適用できる。また、図５及び図６に示すように、カウンタリールのカウンタケースにも本発明を適用できる。
【００２４】
本発明の他の実施形態を採用したカウンタリールは、図５に示すように、リール本体１０１と、リール本体１０１の側方に配置されたスプール回転用のハンドル１０２と、ハンドル１０２のリール本体１０１側に配置されたドラグ調整用のスタードラグ１０３とを主に備えている。リール本体１０１の上部には、水深表示用のカウンタケース１０４が固定されている。
【００２５】
カウンタケース１０４は、図５及び図６に示すように、下部が開口した空間を内部に有する上ケース部材１４０と、上ケース部材１４０の開口を塞ぐ図示しない下ケース部材とを有している。上ケース部材１４０は、アルミニウム合金製部材であり、上ケース部材１４０には、液晶ディスプレイからなる表示部１０５と、表示部１０５の右側に配置された操作キー部１０６とが設けられている。
【００２６】
上ケース部材１４０の裏面前端部には、図６に示すように、左右に間隔を隔てて２つの合成樹脂製の凹凸部１２０が接合されている。凹凸部１２０と上ケース部材１４０との接合方法は前記実施形態と同様であるので省略する。このカウンタリールでは、合成樹脂製の凹凸部１２０を金属製の上ケース部材１４０の裏面に接合して固定しているので、コストの上昇を抑えてかつ表面への固定部の露出を抑えて高級感がある外観を得ることができる。
【００２７】
また、図７〜図９に示すように、自転車のサイクルコンピュータのケースにも本発明を適用できる。本発明の他の実施形態を採用した自転車を図７及び図８に示す。
自転車２０１は、図７に示すように、マウンテンバイクタイプのスポーツ車であり、主要部としてフレーム２０２、フロントフォーク２０３、ハンドル２０４、前輪２０５、後輪２０６、チェーン２０７、フロント外装変速装置２０８及びリア外装変速装置２０９とを備えている。
【００２８】
フレーム２０２は自転車２０１のベースとなるものであり、前部にフロントフォーク２０３、中央下部にフロント外装変速装置２０８、後部に後輪２０６とリア外装変速装置２０９とを備えている。また、フレーム２０２の中央上部には走行者が座るサドル２１１を備えている。
フロントフォーク２０３は、フレーム２０２の前部に斜めに傾いた軸回りに揺動自在に装着されている部材である。フロントフォーク２０３の上部にハンドル２０４が、下部に前輪２０５が装着されている。
【００２９】
ハンドル２０４の両端部には、図８に示すように、それぞれグリップ２１２ａ、２１２ｂと、ブレーキレバー２１３ａ、２１３ｂとが設けられている。また、ハンドル２０４の中央部には走行状態を表示可能な変速制御装置２１５が装着されている。
変速制御装置２１５は、箱状の制御ケース２２７に納められており、表示部２２４がその上面に配置されている。ケース２２７は、図９に示すように、表示部２２４が配置される上ケース２２８と、上ケース２２８に対向して配置された下ケース２２９とを有している。上ケース２２８及び下ケース２２９はアルミニウム合金製である。下ケース２２９の上ケース２２８対向面には、各種の基板を支持するための合成樹脂製の凹凸部２２０が接合されている。凹凸部２２０と下ケース２２９との接合方法は前記実施形態と同様であるので省略する。このカウンタリールでは、合成樹脂製の凹凸部２２０を金属製の下ケース２２９の裏面に接合して固定しているので、コストの上昇を抑えてかつ表面への固定部の露出を抑えて高級感がある外観を得ることができる。
【００３０】
（ｂ）　前記実施形態では、トリアジンチオールの微粉末を電着めっき処理により拡散させて化学結合していたが、接合方法はこれらに限定されるものではない。
（ｃ）　前記実施形態では、複数の凹凸部２０を設けたが、それらを連結部で連結したり、１つの凹凸部を設けてもよい。また、凹凸部２０はねじ部材３０を取付・支持用のボスであったが、位置決め用の突起等であってもよい。
【００３１】
【発明の効果】
本発明によれば、合成樹脂製の内側部材を金属製の外側部材の裏面に接合して固定しているので、コストの上昇を抑えてかつ表面への固定部の露出を抑えて高級感がある外観を得ることができる。
【図面の簡単な説明】
【図１】本発明の一実施形態を採用した両軸受リールの平面図。
【図２】第１側カバー装着部周辺の分解斜視図。
【図３】第２側カバー装着部周辺の分解斜視図。
【図４】リール本体の断面拡大模式図。
【図５】本発明の他の実施形態を採用したカウンタリールの斜視図。
【図６】カウンタケースの背面図。
【図７】本発明の他の実施形態を採用した自転車の側面図。
【図８】前記自転車の拡大斜視図。
【図９】サイクルコンピュータのケースの断面図。
【符号の説明】
１　リール本体
６ａ　第１側カバー
６ｂ　第２側カバー
２０、１２０、２２０　凹凸部
１４０　上ケース部材
２２９　下ケース
【図１】
2004082612.tif 000003
【図２】
2004082612.tif 000004
【図３】
2004082612.tif 000005
【図４】
2004082612.tif 000006
【図５】
2004082612.tif 000007
【図６】
2004082612.tif 000008
【図７】
2004082612.tif 000009
【図８】
2004082612.tif 000010
【図９】
2004082612.tif 000011